(57)【要約】【課題】照明機能とボトル機能を併せて備えた新規の多機能スピーカー装置を提供する。【解決手段】  本発明のボトルスピーカー１は、上面に光源１４が配設され、入力されたオーディオ信号に基づいて外周面から音を出力するスピーカー部１０と、スピーカー部１０の上端に着脱可能であって、上面に開口を有し、内部に液体Ｗを収容する光透過性の周面を有するボトル２０と、ボトル２０の上端に着脱可能なキャップ３０とからなる。【選択図】図１
2018042065.tif 000002
【特許請求の範囲】
【請求項１】
上面に光源が配設され、入力されたオーディオ信号に基づいて外周面から音を出力するスピーカー部と、
該スピーカー部の上端に着脱可能であって、上端に開口を有し、内部に液体を収容する光透過性の周面を有するボトルと、
該ボトルの上端に着脱可能なキャップとからなることを特徴とする多機能スピーカー装置。
【請求項２】
前記キャップが、内面に反射部を有するものである請求項１記載の多機能スピーカー装置。
【請求項３】
前記反射部が、凸面状である請求項２記載の多機能スピーカー装置。
【請求項４】
前記スピーカー部が、前記光源に投射レンズが装着されている請求項１〜３いずれか１項に記載の多機能スピーカー装置。
【請求項５】
前記スピーカー部が、
筐体と、
該筐体内部に上向きに配置され、上方に向かって音を出力するスピーカーとを備え、
前記筐体が、該筐体の外周面一周に設けられた複数の孔で構成され、前記音を放出する音放出部を備えている請求項１〜４いずれか１項記載の多機能スピーカー装置。
【請求項６】
前記液体が飲料である請求項１〜５いずれか１項記載の多機能スピーカー装置。
【発明の詳細な説明】
【技術分野】
【０００１】
本発明は、携帯用のスピーカー装置に関するものであり、特に照明機能とボトル機能とを併せて備えた多機能スピーカー装置に関するものである。
【背景技術】
【０００２】
近年では、ポータブルオーディオプレーヤーに加えて、音楽用アプリを使用することによりスマートフォン、タブレット型端末等でも音楽を聴けるようになっている。そして、このような音響機器から供給されるオーディオ信号を、Ｂｌｕｅｔｏｏｔｈ（登録商標）等の無線通信によって受信して音声を再生するスピーカー装置が普及しており、屋外やテーブル等に配置可能な携帯用のスピーカー装置も普及している。携帯用のスピーカーにおいては、様々な機能を付加したものが開発されており、特許文献１には、照明機能を備えた小型のスピーカー装置が開示されている。また特許文献２には、容器内の液体中に気泡を発生させ、この気泡に光を当てて照明する液体照明装置においてスピーカー機能を備えたものが開示されている。
【先行技術文献】
【特許文献】
【０００３】
【特許文献１】特開２０１６−０５１５５８号公報
【特許文献２】登録実用新案第３００２２０２号公報
【発明の概要】
【発明が解決しようとする課題】
【０００４】
一方、近年、アウトドアの人気が高まっており、キャンプ等で使用される照明器具においても様々な機能を備えたものの開発が望まれている。また他方では、環境への意識の向上や、熱中症対策の観点から、マイボトルに飲料を入れて持ち運ぶ人が増えている。
上記特許文献１に記載のスピーカー装置においては、照明機能は備えているものの、液体を収容するボトルについては記載されていない。また上記特許文献２に記載の液体照明装置においては、液体は収容可能であるものの、容器に収容される液体は多彩で複雑な照明効果を得るために気泡を発生させるためのものであり、容器には空気を排出するための開口が設けられているので、携帯用には適していない。
【０００５】
本発明はかかる事情に鑑みてなされたものであり、携帯用であって、かつ照明機能とボトル機能とを併せて備えた新規な多機能スピーカー装置を提供することを目的とするものである。
【課題を解決するための手段】
【０００６】
本発明の多機能スピーカー装置は、
上面に光源が配設され、入力されたオーディオ信号に基づいて外周面から音を出力するスピーカー部と、
スピーカー部の上端に着脱可能であって、上端に開口を有し、内部に液体を収容する光透過性の周面を有するボトルと、
ボトルの上端に着脱可能なキャップとからなることを特徴とするものである。
【０００７】
ここで、本発明において、「光透過性の周面」とは、周面がボトルの内部からの光が透過する材質で形成されていればよく、透明であってもよいし、乳白色等の半透明であってもよい。また、本発明においては、多機能スピーカー装置をテーブル等の台に載置したときに、上となる方向を上側とする。
【０００８】
また、本発明において「液体」は、お茶やジュース、水等の飲料の他に、飲料としては適さない水や色付の水、粘性を有する液体や色付の液体等を含むものとする。
【０００９】
また本発明の多機能スピーカー装置は、キャップが、内面に反射部を有するものであることが好ましい。この場合、反射部が、凸面状であることがさらに好ましい。
【００１０】
また本発明の多機能スピーカー装置は、スピーカー部が、光源に投射レンズが装着されていることが好ましい。
【００１１】
ここで、本発明において、「投射レンズ」とは、光源から照射された光を拡散させることにより懐中電灯に適した光にすることができるレンズを意味する。
【００１２】
また本発明の多機能スピーカー装置は、スピーカー部が、
筐体と、
筐体内部に上向きに配置され、上方に向かって音を出力するスピーカーとを備え、
筐体が、筐体の外周面一周に設けられた複数の孔で構成され、音を放出する音放出部を備えていてもよい。
【発明の効果】
【００１３】
本発明の多機能スピーカー装置は、上面に光源が配設され、入力されたオーディオ信号に基づいて外周面から音を出力するスピーカー部と、スピーカー部の上端に着脱可能であって、上面に開口を有し、内部に液体を収容する光透過性の周面を有するボトルと、ボトルの上端に着脱可能なキャップとからなるので、ボトルに飲料等の液体を入れて光源を点灯させれば液体の反射を使ったきれい光り方をするランタン（照明装置）として使用することができ、キャンプ等で使用されることが多いランタン、ボトル及びスピーカーの機能を１つで賄うことができる携帯用の多機能スピーカー装置を実現することができる。
【図面の簡単な説明】
【００１４】
【図１】本発明の第１の実施形態に係るボトルスピーカーの正面図
【図２】図１のボトルスピーカーの一部分解図
【図３】図１のボトルスピーカーの一部分解斜視図
【図４】図１のボトルスピーカーの断面図
【図５】スピーカー部の内部構成図
【発明を実施するための形態】
【００１５】
以下、図面を参照して本発明の多機能スピーカー装置の一実施の形態であるボトルスピーカー１を説明する。図１は本発明の第１の実施形態に係るボトルスピーカー１の正面図、図２は図１のボトルスピーカー１の一部分解図、図３は図１のボトルスピーカー１の一部分解斜視図、図４は図１のボトルスピーカー１の断面図である。なお本実施形態においては、便宜上、ボトルスピーカー１をテーブル等の台に載置したときに、上となる方向、すなわちキャップ３０が位置する側を上側として、以下、説明する。つまり図１において、ボトル２０及びスピーカー部１０の図中の上側を上方として説明する。
【００１６】
ボトルスピーカー１は、図１及び図２に示すように、外周面から音を放出するスピーカー部１０と、スピーカー部１０の上端に着脱可能であって、上面に開口２２ａを有し、内部に飲料Ｗを収容する光透過性を有するボトル２０と、ボトル２０の上端に着脱可能なキャップ３０とを備えている。
【００１７】
スピーカー部１０は、図３及び図４に示すように、円筒状の筐体１１と、筐体１１内部に上向きに配置され、上方に向かって音を出力するスピーカー１２と、筐体１１の外周面一周に設けられた複数の孔１１ａとを備えている。この複数の孔１１ａが音を放出する音放出部として機能する。
【００１８】
またスピーカー部１０は、スピーカー１２の上方に、図４に示すように、上端に円状の凹部１３ａを有し、スピーカー１２と対向する面がスピーカー１２側に突出する凸状面に形成されたプラスチック製の蓋体１３、凹部１３ａに配設されるＬＥＤ（光源）１４、ＬＥＤ１４を上方から覆う投射レンズ１５とを備えている。なお蓋体１３の側壁の外周面は後述するボトル２０の延部２３の内径よりも小さく形成されており、蓋体１３の側壁は延部２３の内方に配置される。
【００１９】
ＬＥＤ１４は、凹部１３ａの底面に着座する台座１４１によって保持されている。投射レンズ１５は、ＬＥＤ１４に対向すると共にＬＥＤ１４に装着される凹状面１５ａと、凹部１３ａの内径と略一致する外径に形成された環状の側壁１５ｂとを備えており、凹部１３ａに嵌合される。
【００２０】
蓋体１３の上面には、投射レンズ１５を囲んで円盤状の飾り板１６が配置されている。飾り板１６は、ＬＥＤ１４が点灯したときに、光を装飾的に反射させるように、例えば光を反射するアルミで構成し、その上面には凹凸を付与するようにしてもよい。
【００２１】
またスピーカー部１０は、筐体１１の内側に装着される円筒状のキャビティ１０５を備えている。キャビティ１０５の外周面と筐体１１の内周面には対応する位置にそれぞれ互いに嵌合する凹凸加工（図示せず）が施されており、キャビティ１０５と筐体１１とは嵌合によって固定されている。なおキャビティ１０５と筐体１１との固定方法については特に限定されるものではなくその他の公知の方法によって固定することができる。
【００２２】
またキャビティ１０５の外周面には環状の凹部１０２が形成されており、この凹部１０２に防水生地で形成された筒状の防水メッシュ１０４が装着される。防水メッシュ１０４は筐体１１とキャビティ１０５とに把持されて、スピーカー部１０の防水性能を確保している。なおキャビティ１０５の凹部１０２の底にはキャビティ１０５を貫通するスリット（図示せず）が設けられていて、スピーカー１２から上方に向けて発せられた音は、このスリットと防水メッシュ１０４、及び筐体１１の外周面一周に設けられた複数の孔１１ａを通って筐体１１の全周に放出される。
【００２３】
一方、キャビティ１０５の上部内面１０１には後述するボトル２０の延部２３のネジ部２３ａと螺合するネジ部１０１ａが設けられており、延部２３のネジ部２３ａにキャビティ１０５のネジ部１０１ａが螺合することにより、スピーカー部１０とボトル２０とが着脱可能に装着される。なおキャビティ１０５の上端外周面と筐体１１の上端内周面との間には、環状のシリコンキャップ１０３が介在している。
【００２４】
スピーカー１２は、キャビティ１０５内部において、蓋体１３と間隙を有して配置されており、図４に示すように、スピーカー１２の上端縁をキャビティ１０５の内面に形成された凸部に係止させることによりキャビティ１０５内部の空間上で浮いた状態で配設される。なお本実施形態のスピーカー１２は、例えば振動板、コイル及び磁石から構成される公知のスピーカーを使用する。なお本発明においてスピーカーの種類は特に限定されるものではなく、様々な方式の公知のスピーカーを採用することができる。
【００２５】
スピーカー１２の下方には、電源部１７が配設されており、電源部１７の下方には筐体１１の下端開口を塞ぐ冠状の底蓋体１８が装着されている。底蓋体１８は、上端外周面にシリコンサークル１８ａが装着されており、底壁の上面には電源部１７と接続され後述する各種回路等が搭載された基板１０７が例えばネジ等により固定されている。また底蓋体１８の底面にはスピーカー部１０を載置したときの滑り止め用のシリコン１８ｂがネジ１８ｃにより固定されている。
【００２６】
またスピーカー１２と電源部１７との間には、スピーカー１２と電源部１７とを引き離すための円形状の引離板１０６が配設されており、引離板１０６は引離板１０６の下面から下方に向って延びる４本の脚部（図示せず）を有している。電源部１７は、引離板１０６と基板１０７との間に挟まれた状態で、脚部が基板１０７に設けられた孔（図示せず）を挿通することにより、底蓋体１８に固定されている。なお底蓋体１８を筐体１１から取り外すことにより、上記脚部が基板１０７から抜けるので、電源部１７を容易に取外すことができる。
【００２７】
またスピーカー部１０は、図１〜３に示すように、筐体１１の外周面下方に、電源のオンオフを操作する操作ボタン（操作部）１９が配設されている。
【００２８】
ここで上記のように構成されたスピーカー部１０の内部構成について説明する。図５はスピーカー部１０の内部構成図である。
【００２９】
スピーカー部１０は、図５に示すように、オーディオ信号を入力する回路として、Ｂｌｕｅｔｏｏｔｈ（登録商標）入出力部４１、Ｂｌｕｅｔｏｏｔｈ（登録商標）入出力部４１からオーディオ信号が入力される信号処理部４２、信号処理部４２から入力されるオーディオ信号を増幅してスピーカー１２に出力する増幅回路部４３を備えている。
【００３０】
Ｂｌｕｅｔｏｏｔｈ（登録商標）入出力部４１は、予めスピーカー部１０にペアリング設定されたポータブルオーディオプレーヤー、音楽用アプリを入れたスマートフォン及びタブレット型端末等の音響機器から供給されるオーディオ信号を受信する。なお本実施形態では無線通信手段としてＢｌｕｅｔｏｏｔｈ（登録商標）を使用するが、本発明はこれに限られるものではなく、例えば赤外線通信等、公知の無線通信手段を使用することができる。
【００３１】
信号処理部４２は、入力されたオーディオ信号に対してイコライズ等の処理を行うと共に、後述するアナログ入出力部４６から入力された各種信号の処理を行う。なおＢｌｕｅｔｏｏｔｈ（登録商標）入出力部４１のペアリング動作、信号処理部４２のイコライズ動作及び増幅回路部４３のゲイン調整等は後述する制御部４４が制御する。
【００３２】
また、スピーカー部１０は、図５に示すように、ＬＥＤ１４を点灯させる信号を入力する回路として、電源のオンオフ等を操作する操作ボタン（操作部）１９、操作部１９から入力される信号に対して各種制御を行う制御部４４、ＬＥＤ１４を点灯させる点灯回路部４５、ＬＥＤ１４を備えている。
【００３３】
操作部１９は、図１〜３に示すように、筐体１１の外周面下方に配設された操作ボタンで構成されており、電源のオンオフが入力されて、オンオフの信号を制御部４４に出力する。なお本実施形態において操作部１９は電源のオンオフを操作するものとしたが、本発明はこれに限られるものではなく、スピーカー１２からの音量を操作する操作ボタンやＬＥＤ１４の光の強弱等を操作する操作ボタン等をさらに備えていても良い。
【００３４】
制御部４４は、上述したように、Ｂｌｕｅｔｏｏｔｈ（登録商標）入出力部４１のペアリング動作、信号処理部４２のイコライズ動作及び増幅回路部４３のゲイン調整等を制御すると共に、操作部１９からの電源のオンの信号が入力されると、後述する電源部１７からの電力を増幅回路部４３と点灯回路部４５に供給する。
【００３５】
スピーカー部１０は、電源部１７を備えており、この電源部１７は、リチウムイオンポリマーセルを使用しており、スピーカー部１０から取り外して充電することにより使用される。なお電源部１７はスピーカー部１０から取り外して充電するものであってもよいが、スピーカー部１０に内蔵した状態で、例えばアナログ入出力部４６を介して、充電する構成としてもよい。本発明の電源部はこれらに限定されるものではなく、アナログ入出力部４６を介してＡＣアダプタにより電力を供給する構成としてもよいし、電池を使用する構成としてもよいし、適宜変更することができる。
【００３６】
上記のように構成されたスピーカー部１０は、ユーザが操作ボタン（操作部）１９を操作することによって電源がオンにされると、制御部４４を介して電源部１７からの電力が増幅回路部４３と点灯回路部４５に供給されて、点灯回路部４５によりＬＥＤ１４が点灯されると共に、Ｂｌｕｅｔｏｏｔｈ（登録商標）入出力部４１がペアリング設定された上記音響機器からのオーディオ信号が入力されるのを待機する待機状態となる。
【００３７】
そしてペアリング設定された上記音響機器からのオーディオ信号がＢｌｕｅｔｏｏｔｈ（登録商標）入出力部４１に入力されると、制御部４４を介して信号処理部４２が入力されたオーディオ信号に対してイコライズ等の処理を行い、増幅回路部４３が処理されたオーディオ信号を増幅してスピーカー１２に出力する。このようにして上記音響機器で再生される音楽等のオーディオ信号がスピーカー１２から出力される。
【００３８】
なお本実施形態においてスピーカー部１０は、上記のような構成としたが、本発明はこれに限られるものではなく、外部の上記音響機器で再生される音楽等のオーディオ信号をスピーカー１２から出力可能であればよく、公知のスピーカー装置の構成を使用することができる。
【００３９】
次にボトル２０について説明する。ボトル２０は、図１〜４に示すように、内部に飲料Ｗを収容する容器であり、底部２１ａを有する筒状のボトル本体２１と、ボトル本体２１の上端にボトル本体２１と一体的に形成された首部２２と、ボトル本体２１の底部２１ａの下面から下方に向って環状に延び、ボトル本体２１と一体的に形成された延部２３とを備えている。首部２２の上端には開口２２ａが設けられており、首部２２及び延部２３には、各々外周面にネジ加工が施されたネジ部２２ｂ，２３ａが設けられている。またボトル本体２１、首部２２及び延部２３は光透過性を有する透明なプラスチック樹脂で一体的に形成されている。
【００４０】
なお本実施形態ではボトル本体２１、首部２２及び延部２３を、光透過性を有する透明なプラスチック樹脂で形成するものとしたが、本発明はこれに限られるものではなく、ボトル本体２１の内部から光が透過するものであれば、透明であってもよいし、乳白色等の半透明であってもよい。また少なくともボトル本体２１が光透過性を有していればよく、首部２２及び／又は延部２３は非透明性の樹脂で形成されていてもよいし、光透過性を有していなくてもよい。また本実施形態においては、ボトル本体２１、首部２２及び延部２３はプラスチック樹脂で一体的に形成されているものとしたが、本発明はこれに限られるものではなく、例えばガラス等で形成されていてもよい。なお持ち運びの観点からは樹脂によって形成されていることが好ましい。
【００４１】
次にキャップ３０について説明する。キャップ３０は、図１，図２に示すように、ボトル２０の首部２２に着脱可能に装着されるものであって、冠状のキャップ本体３１と、首部２２に装着されたときに上側に位置し、キャップ本体３１と一体的に形成される持ち運び用の取っ手３２と、反射部３３とを備えている。
【００４２】
キャップ本体３１は、図４に示すように、円筒部３１ａを有しており、この円筒部３１ａの内面にはボトル２０の首部２２のネジ部２２ｂに螺合するネジ部３１ｂが形成されている。また円筒部３１ａの内方に位置し、キャップ本体３１の天面から下方に向かって円筒状に突出する突出部３１ｃを有しており、この突出部３１ｃの内周面３１ｄに後述する反射部３３の凸部３３ａが装着される。
【００４３】
反射部３３は樹脂で形成され、図４に示すように、キャップ３０をボトル２０に装着したときにボトル２０側に向かって凸状となる球状面を有しており、この球状面の表面は蒸着メッキ鏡面仕上げが施されている。これによりＬＥＤ１４から照射された光を下方に向かって反射することができる。また反射部３３は球状面の裏側から突出する円柱状の凸部３３ａを有しており、この凸部３３ａがキャップ本体３１の突出部３１ｃの内周面３１ｄに装着されることにより反射部３３がキャップ本体３１に固定される。
【００４４】
なお本実施形態において反射部３３は樹脂で形成され、表面に蒸着メッキ鏡面仕上げを施したものとしたが、本発明はこれに限られるものではなく、例えばアルミニウム等の金属で形成してもよい。また本実施形態において反射部３３は凸面状（球面状）としたが、本発明はこれに限られるものではなく、光を反射可能であればよく、例えば平面状であってもよいし、凹凸状であってもよい。
【００４５】
本実施形態のボトルスピーカー１は以上のように構成されている。次にボトルスピーカー１の作用効果について以下に説明する。
【００４６】
キャップ３０とスピーカー部１０を外した状態のボトル２０に、開口２２ａから飲料Ｗを入れ、飲料Ｗを入れたボトル２０にキャップ３０を装着する。そしてキャップ３０が装着されたボトル２０をスピーカー部１０に装着する。
【００４７】
飲料Ｗを入れたボトル２０、キャップ３０及びスピーカー部１０が各々装着された状態において、ユーザが操作ボタン１９をオンすることにより、電源がオンにされ、ＬＥＤ１４が点灯すると共に、Ｂｌｕｅｔｏｏｔｈ（登録商標）入出力部４１がペアリング設定された音響機器からのオーディオ信号が入力されるのを待機する待機状態となる。
【００４８】
本実施形態のボトルスピーカー１においては、ＬＥＤ１４が点灯すると、ＬＥＤ１４から照射された光は投射レンズ１５によって上方かつ外方に向かって拡散され、拡散された光がキャップ３０に設けられた反射部３３に到達すると、今度は反射部３３によって光が下方に向かって反射される。これによりボトル２０は下からも上からも光が照らされることになるので、ボトル２０全体が光ることによりボトルスピーカー１はキャンプ等で使用されるランタン（照明器具）として使用することができる。
【００４９】
なお、このとき、ボトルスピーカー１は、ボトル２０に入れられた飲料Ｗによって光が反射されるので、飲料Ｗの反射を使用したきれいな光り方をするランタンとすることができる。
【００５０】
ここで上記実施形態のボトルスピーカー１において、飲料Ｗは水とすることができる。飲料Ｗを水とした場合には、透明な水の反射を利用したきれいな光り方をするランタンとなる。また飲料Ｗを色付の飲料とすることで、照明光の色を変えることができ、ボトルスピーカー１の使用環境や用途、さらにはユーザの気分等によって、容易に照明光の色を変えることができる。なお本発明において、飲料Ｗは特に限定されるものではなく、炭酸を有するものであってもよいし、お茶等の清涼飲料水であってもよいし、様々な種類の飲料をボトル２０に入れることができる。
【００５１】
一方、スピーカー部１０にペアリング設定された音響機器からのオーディオ信号がＢｌｕｅｔｏｏｔｈ（登録商標）入出力部４１に入力されると、入力されたオーディオ信号に基づいた音が筐体１１の外周面一周に設けられた複数の孔１１ａから放出される。これによりボトルスピーカー１は３６０°すなわち全周に音を発することができる。
【００５２】
またＬＥＤ１４には光を拡散させる投射レンズ１５が装着されているので、ボトル２０を外した状態でＬＥＤ１４を点灯させることにより、スピーカー部１０は懐中電灯として使用することができる。
【００５３】
またスピーカー部１０からボトル２０を外して、ボトル２０からキャップ３０を外せば、ユーザはボトル２０に入れられた飲料Ｗを飲むことができる。
【００５４】
以上のように本実施形態のボトルスピーカー１は、キャンプ等で使用されることが多いランタンとしての機能、ボトル機能及び懐中電灯としての機能を併せて備えたスピーカー装置を実現することができる。
【００５５】
なお、上記実施形態においては、ボトル２０に飲料Ｗを入れるものとしたが、本発明の多機能スピーカー装置のボトルは飲料を入れるものに限られない。例えば、飲料としては適さない水や色付の水、粘性を有する液体や色付の液体等を入れるものであってもよい。
【００５６】
また、上記実施形態においては、スピーカー部１０とボトル２０、及びボトル２０とキャップ３０をネジ部による螺合によって取外し可能に着脱するものとしたが、本発明はこれに限られるものではなく、例えば凹部と凸部等によるはめ込み式によって着脱するものであってもよいし、他の公知の着脱方法を使用することができる。
【００５７】
また、上記実施形態においては、キャップ３０が反射部３３を備えるものとしたが、本発明はこれに限られるものではなく、反射部３３を備えていなくてもよい。反射部３３を備えていないことにより、ボトルスピーカー１においてボトル２０の上側からの光の反射は発生しないが、ＬＥＤ１４から照射される光は飲料Ｗで反射されてきれいな光を発生する照明器具として使用することができる。
【００５８】
また、上記実施形態においては、筐体１１の外周面一周に複数の孔１１ａを設けたが、本発明はこれに限られるものではなく、外周面の少なくとも一部に孔が設けられていればよい。筐体１１に孔が設けられていれば、この孔から音が放出されるので、スピーカーとしての機能を実現することができる。
【００５９】
また、上記実施形態においては、スピーカー部１０の上面にＬＥＤ１４を一つ設けたが、本発明はこれに限られるものではなく、複数のＬＥＤを設けてもよい。複数のＬＥＤを設けた場合には、スピーカー部１０の上面にＬＥＤを円状に並べてもよいし、格子状に配列してもよいし、適宜変更することができる。
【００６０】
また、上記実施形態においては、ＬＥＤ１４を上方から覆う、光を拡散させる投射レンズ１５を設けたが、本発明はこれに限られるものではなく、投射レンズ１５を設けなくてもよい。ただし、この場合、スピーカー部１０は懐中電灯としての機能を実現することは困難になる。
【００６１】
また、上記実施形態においては、スピーカー部１０、ボトル２０及びキャップ３０を円筒状としたが、本発明はこれに限られるものではなく、例えば四角柱や三角柱などの多角柱状であってもよいし、適宜変更することができる。
【００６２】
本発明の多機能スピーカー装置は、上記実施形態に限られるものではなく、発明の趣旨を逸脱しない限りにおいて適宜変更することができる。
【符号の説明】
【００６３】
１            ボトルスピーカー（多機能スピーカー装置）
１０          スピーカー部
１１          筐体
１１ａ        孔（音放出部）
１２          スピーカー
１３          蓋体
１４          ＬＥＤ（光源）
１５          投射レンズ
１７          電源部
１９          操作ボタン（操作部）
２０          ボトル
２１          ボトル本体
２２          首部
２２ａ        開口
３０          キャップ
３１          キャップ本体
３２          取っ手
３３          反射部
４１          Ｂｌｕｅｔｏｏｔｈ（登録商標）入出力部
４２          信号処理部
４３          増幅回路部
４４          制御部
４５          点灯回路部
４６          アナログ入出力部
Ｗ            飲料（液体）
【図１】
2018042065.tif 000003
【図２】
2018042065.tif 000004
【図３】
2018042065.tif 000005
【図４】
2018042065.tif 000006
【図５】
2018042065.tif 000007